(57)【要約】【課題】面倒な調整や操作を全く必要とせずに、ＩＣ基盤の厚みや各脚部のピッチなど、収納物の各種サイズに応じて最適な間隔の仕切り板が自動的に選択される間隔調整自在棚板を提供する。【解決手段】棚板１の板面から載置物Ｐ方向に突出する複数の仕切り２を、棚板１内に没入自在に装着し、該仕切り２の突出した先端部に接する載置物Ｐの接触面によって仕切り２を棚板１内部に没入させる。仕切り２を多数個等間隔に配置して略帯状を成す仕切り列Ｓ１を形成する。平行な仕切り列Ｓ１相互の仕切り２の位置を同一仮想線上に沿った位置よりずれる位置に設置して調整ピッチを形成する。弾性帯板の板面に一対の仕切り列Ｓ１を平行に設けて仕切りユニット１０を形成する。仕切りユニット１０に板バネ３を装着し、仕切りユニット１０の仕切り２を載置物Ｐ方向へ押圧付勢する。【選択図】図１
2006204598.tif 000002
【特許請求の範囲】
【請求項１】
棚板上に載置する載置物の幅に適合するように仕切りの位置が調整される棚板において、棚板の板面から載置物方向に突出する複数の仕切りを、棚板方向に押圧自在に装着し、該仕切りの突出した先端部に接する載置物の接触面によって仕切りを棚板方向に押し戻すと共に、押し戻した仕切りに隣接し載置物方向に突出する他の仕切りの間に載置物を係止するように設けたことを特徴とする間隔調整自在棚板。
【請求項２】
前記仕切りを多数個等間隔に配置して略帯状を成す仕切り列を形成し、該仕切り列を前記棚板の長手方向に沿って平行に複数列設定すると共に、各仕切り列相互の仕切りの位置が同一仮想線上に沿った位置よりずれる位置に設置されることで仕切り相互間のピッチより狭くなる調整ピッチを形成し、載置物を係止する間隔を該調整ピッチで調整できるように設けた請求項１記載の間隔調整自在棚板。
【請求項３】
弾性帯板の板面に前記調整ピッチを設定するように一対の仕切り列を平行に設けて仕切りユニットを形成し、該仕切りユニットの仕切りの位置に合わせた仕切り挿入孔を前記棚板に開穿し、該棚板の裏面から載置物方向に仕切りユニットの仕切りを出没自在に突出させると共に、該仕切りユニットの仕切りを載置物方向に押圧付勢する板バネを仕切りユニットに装着した請求項２記載の間隔調整自在棚板。
【請求項４】
前記仕切りユニットを前記棚板の長手方向に沿って複数個連続するように配置して仕切り帯列を形成し、該仕切り帯列を前記棚板に平行に複数列設けた請求項３記載の間隔調整自在棚板。
【請求項５】
前記棚板を一対組み合わせて上下面に仕切りが突出する棚板体を設け、該棚板体を載置物の上下に配し、載置物の下端部と上端部とを棚板体上下面の仕切りで係止する請求項１乃至４いずれか記載の間隔調整自在棚板。
【発明の詳細な説明】
【技術分野】
【０００１】
本発明は、例えばＩＣ基盤、ＤＭＳ、磁気テープ、光ファイバー等を収納する保管庫内に設置され、収納物の各種サイズに応じて最適な間隔の仕切りが自動的に選択される間隔調整自在棚板に関するものである。
【背景技術】
【０００２】
従来、ＩＣ基盤等を収納する保管庫として、当出願人により、特許文献１及び特許文献２に記載された保管庫が提供されている。特許文献１の保管庫は、複数のＩＣ基盤（プリント基板）を収納したときに、ＩＣ基盤の厚みに応じて、ＩＣ基盤の位置を調整することができるようにしたものである。そのため、引用文献１では、水平に架設した複数本のレールの上下面に、ＩＣ基盤の脚部が嵌入する長溝を設け、長溝に嵌入した複数のＩＣ基盤の脚部相互の間隔、すなわちＩＣ基盤の厚みや各脚部のピッチに合わせるようにレールを移動自在に設けたものである。
【０００３】
特許文献２の保管庫は、地震その他の災害に際し、物品を載置した棚板が不用意に落下することがない強固な保管庫の提供を目的としたもので、保管庫の天板と底板との間に装着した長ボルトに、四隅を貫通させた棚板を複数枚装着し、長ボルトにネジ止めしたナットで各棚板を高さ調整自在に固定することで、ＩＣ基盤を上下の棚板で支持するものである。
【０００４】
【特許文献１】実公平５−３４１５１号公報
【特許文献２】実公昭５７−４３５６０号公報
【発明の開示】
【発明が解決しようとする課題】
【０００５】
特許文献１により、複数のＩＣ基盤を収納したときに、ＩＣ基盤の脚部を嵌入したレールを移動することでＩＣ基盤の厚みに対応して調整できるようになったが、このレールを移動操作するには、レールの位置を固定している固定ネジを緩めてから各レールの位置を調整し、この調整後、再び固定ネジを緊締して各レールを固定する作業が必要であった。そのため、特許文献１の収納庫を使用するには、ＩＣ基盤の間隔調整作業に固定ネジの操作やレール位置の調整など、多くの手間を要するといった課題が残されていた。
【０００６】
一方、特許文献２の収納庫は、長ボルトに装着したナットの位置を調整することで、各棚板の高さを調整し、この棚板の間に収納物を係止するものである。ところが、各棚板には仕切りが設けられていないので、上下の棚板の間隔に合致しているものは固定できても、棚板の間隔よりも高さが僅かに低い物などは、簡単に倒れてしまうおそれがある。この結果、特許文献２の収納庫では、収納物の高さに合わせて、棚板の高さを正確に調整する作業が困難になり、また、収納物の高さと棚板との間隔が僅かに異なっても収納物を支持することができなくなるといった不都合もあった。
【０００７】
そこで本発明は、上述の課題を解消すべく創出されたもので、これまでの面倒な調整や操作を全く必要とせずに、ＩＣ基盤の厚みや各脚部のピッチなど、収納物の各種サイズに応じて最適な間隔の仕切り板が自動的に選択され、しかも、収納庫のタイプで規制されずに装着でき、収納庫以外での使用も可能な間隔調整自在棚板の提供を目的とするものである。
【課題を解決するための手段】
【０００８】
本発明の第１の手段は、  棚板１上に載置する載置物Ｐの幅に適合するように仕切り２の位置が調整される棚板において、棚板１の板面から載置物Ｐ方向に突出する複数の仕切り２を、棚板１方向に押圧自在に装着し、該仕切り２の突出した先端部に接する載置物Ｐの接触面によって仕切り２を棚板１方向に押し戻すと共に、押し戻した仕切り２に隣接し載置物Ｐ方向に突出する他の仕切り２の間に載置物Ｐを係止するように設けたことにある。
【０００９】
第２の手段は、前記仕切り２を多数個等間隔に配置して略帯状を成す仕切り列Ｓ１を形成し、該仕切り列Ｓ１を前記棚板１の長手方向に沿って平行に複数列設定すると共に、各仕切り列Ｓ１相互の仕切り２の位置が同一仮想線上に沿った位置よりずれる位置に設置されることで仕切り２相互間のピッチより狭くなる調整ピッチを形成し、載置物Ｐを係止する間隔を該調整ピッチで調整できるように設けている。
【００１０】
第３の手段は、弾性帯板の板面に前記調整ピッチを設定するように一対の仕切り列Ｓ１を平行に設けて仕切りユニット１０を形成し、該仕切りユニット１０の仕切り２の位置に合わせた仕切り挿入孔１Ａを前記棚板１に開穿し、該棚板１の裏面から載置物Ｐ方向に仕切りユニット１０の仕切り２を出没自在に突出させると共に、該仕切りユニット１０の仕切り２を載置物Ｐ方向に押圧付勢する板バネ３を仕切りユニット１０に装着したものである。
【００１１】
第４の手段は、前記仕切りユニット１０を前記棚板１の長手方向に沿って複数個連続するように配置して仕切り帯列Ｓ２を形成し、該仕切り帯列Ｓ２を前記棚板１に平行に複数列設けている。
【００１２】
第５の手段は、前記棚板１を一対組み合わせて上下面に仕切りが突出する棚板体１００を設け、該棚板体１００を載置物Ｐの上下に配し、載置物Ｐの下端部と上端部とを棚板体１００上下面の仕切り２で係止することを課題解消のための手段とする。
【発明の効果】
【００１３】
本発明の請求項１により、棚板１上に載置物Ｐを載置するだけで、載置物Ｐの幅に適合する仕切り２が自動的に選択されるから、面倒な調整や操作を全く必要とせずに、ＩＣ基盤の厚みや各脚部のピッチなど、収納物の各種サイズに応じて簡単に収納することが可能になった。また、棚板１を下向きに配してＩＣ基盤の上端部を係止することも可能であり、収納庫のタイプによって使用の態様が規制されることもない。更に、収納庫以外での使用も可能であり、載置物の種類もＩＣ基盤等に限定されず、本発明棚板をあらゆる用途に用いることができる。
【００１４】
請求項２により、仕切り２相互間のピッチより狭くなる調整ピッチを形成し、載置物Ｐを係止する仕切り２の間隔を該調整ピッチで調整できるようにしたことにより、載置物Ｐの各種サイズにより適した仕切り２を自動選択することができる。
【００１５】
請求項３及び４では、本発明棚板の製造に際し、仕切りユニット１０と板バネ３とを棚板１に装着することで、極めて容易に製造できる。したがって、これら仕切りユニット１０等を組み合わせて複数の棚板体１００などを適宜形成することにより、あらゆるサイズの棚板でも容易に製造することが可能になる。
【００１６】
請求項５により、載置物Ｐの上下を棚板体１００上下の仕切り２で係止できるようにしたことで、棚板１の配置作業が容易になり、棚板１間に載置物Ｐを確実に収納することができる。しかも、棚板体１００上下の仕切り２は、面倒な調整や操作を全く必要とせずに、ＩＣ基盤の厚みや各脚部のピッチなど、収納物の各種サイズに応じて最適な間隔の仕切り板が自動的に選択される。更に、載置物Ｐの上下を、棚板１内に没入した仕切り２が押圧付勢しているので、上部棚板体１００との間に多少の隙間が生じていても、載置物Ｐを強固に固定することができる。
【００１７】
このように、本発明によると、これまでの面倒な調整や操作を全く必要とせずに、ＩＣ基盤の厚みや各脚部のピッチなど、収納物の各種サイズに応じて最適な間隔の仕切り板が自動的に選択され、しかも、収納庫のタイプに規制されずに装着でき、収納庫以外での使用も可能になるなどといった有益な種々の効果を奏するものである。
【発明を実施するための最良の形態】
【００１８】
本発明の最良の形態は、棚板１の板面から載置物Ｐ方向に突出する複数の仕切り２を、棚板１方向に押圧自在に装着し、該仕切り２の突出した先端部に接する載置物Ｐの接触面によって仕切り２を棚板１方向に押し戻す。押し戻した仕切り２に隣接し載置物Ｐ方向に突出する他の仕切り２の間に載置物Ｐを係止するように設ける。仕切り２を多数個等間隔に配置して略帯状を成す仕切り列Ｓ１を形成し、該仕切り列Ｓ１を前記棚板１の長手方向に沿って平行に複数列設定する。各仕切り列Ｓ１相互の仕切り２の位置が同一仮想線上に沿った位置よりずれる位置に設置されることで仕切り２相互間のピッチより狭くなる調整ピッチを形成し、載置物Ｐを係止する仕切り２の間隔を該調整ピッチで調整するように設ける。弾性帯板の板面に前記調整ピッチを設定するように一対の仕切り列Ｓ１を平行に設けて仕切りユニット１０を形成する。該仕切りユニット１０の仕切り２の位置に合わせた仕切り挿入孔１Ａを前記棚板１に開穿する。該棚板１の裏面から載置物Ｐ方向に仕切りユニット１０の仕切り２を出没自在に突出させる。該仕切りユニット１０の仕切り２を載置物Ｐ方向に押圧付勢する板バネ３を仕切りユニット１０に装着することで当初の目的を達成するものである。
【実施例】
【００１９】
本発明棚板は、例えばＩＣ基盤、ＤＭＳ、磁気テープ、光ファイバー等を収納する保管庫内に設置されるもので、収納物の各種サイズに応じて最適な間隔の仕切り２が自動的に選択されるように設けたものである。
【００２０】
すなわち、棚板１の板面から載置物Ｐ方向に突出するように設けた複数の仕切り２を、棚板１方向に押圧自在に装着することで棚板１方向に押し戻し、押圧されない仕切り２が載置物Ｐを係止するものである（図１１参照）。仕切り２を棚板１方向に押圧するには、この仕切り２の突出した先端部に載置物Ｐの突起等が接触することで行われる。
【００２１】
図１に示す棚板１には、仕切り２を挿入する仕切り挿入孔１Ａを設けてあり、この仕切り挿入孔１Ａに棚板１の裏面から仕切り２を挿入し、この仕切り２が載置物Ｐ方向に突出するように設置し、接触時に棚板１方向に押し戻されるように設けている。また、仕切り２を押し戻す別の手段として、図示していないが、棚板１の板面に切り込みを設けて屈曲し、載置物Ｐ方向に突出する仕切りを設け、弾性を有する仕切り２を棚板１方向に変形させることも可能である。
【００２２】
図４に示す仕切り２の配列は、多数の仕切り２を等間隔に配置して略帯状を成す仕切り帯列Ｓ２を形成している。そして、この仕切り列Ｓ１を前記棚板１の長手方向に沿って平行に複数列設定する。図示の仕切り帯列Ｓ２は、図７に示す仕切りユニット１０を連設することで形成している。この仕切りユニット１０は、弾性を有する合成樹脂材等にて形成される。図示例では、棚板１に固定する略帯状の固定基盤１１と、この固定基盤１１の長手側面に延長された弾性板１２とを設け、弾性板１２の板面に仕切り２を突設した仕切りユニット１０を一体成形したものである（図８参照）。尤も、仕切りユニット１０の形状や構成は図示に限定されるものではない。そして、この仕切りユニット１０の仕切り２の位置に合わせて予め開穿した棚板１の仕切り挿入孔１Ａに、棚板１の裏面から嵌入する（図１参照）。尚、本発明において、棚板１の表面とは載置物Ｐに接する面とし、棚板１の裏面とは、載置物Ｐに接しない面とする。
【００２３】
仕切りユニット１０において、各仕切り列Ｓ１相互の仕切り２の位置が、各仕切り２の長手方向に沿った仮想線ｘ上の位置よりずれる位置に設置している（図６参照）。仕切り２をこのように設置することで、仕切り２相互間のピッチaより狭くなる調整ピッチbが形成される。すなわち、棚板１上の前後に配置された仕切り列Ｓ１は、仕切り２の位置が、仕切り列Ｓ１の長手方向に僅かにずれた位置となっているので、載置物Ｐを載置した際に、最も近い仕切り２が仕切り列Ｓ１から選択されるものである。仮に、仕切り列Ｓ１相互の仕切り２の位置が仮想線ｘ上に沿った位置に設定されていると、載置物Ｐを載置した際に、仕切り列Ｓ１の同じ位置の仕切り２が前後同時に選択されることになる。この場合の調整ピッチbは、仕切り２相互間のピッチaと等しくなる（図示せず）。一方、本発明の調整ピッチbは、図６に示すように、仕切り列Ｓ１において前後の仕切り２の位置を僅かにずらしているので、前後の仕切り２が同時に選択されず、載置物Ｐに最も近い仕切り２が選択されることになる。この仕切り２相互のピッチaよりも狭くなったピッチを本発明の調整ピッチbとするもので、載置物Ｐを係止する仕切り２の間隔は、この調整ピッチbに基づいて細かく調整することが可能になる。尚、仕切り２の前後は、仕切り２の長手側面の使用者がわを前方とし、反対側を後方とする。
【００２４】
図２に示す如く、棚板１の裏面から載置物Ｐ方向に仕切りユニット１０の仕切り２を出没自在に突出させ、この状態を維持するように、仕切りユニット１０を載置物Ｐ方向に押圧付勢する板バネ３を装着する。この板バネ３は、仕切りユニット１０に設けた仕切り２の弾性を補助するもので、金属材や合成樹脂材等で形成される。図示例では、各仕切り２の位置に対応する複数の腕部３Ａを、帯板状の連結板３Ｂに設けている（図９、図１０参照）。そして、この連結板３Ｂを仕切りユニット１０と共に、リベット４で棚板１の裏面に固定する（図１参照）。このように板バネ３を装着すると、仕切り２の係止力を高めると共に、仕切り２の弾性力を長期間保持することができ、載置物Ｐの接触で長い間棚板１方向に押圧付勢されていた仕切り２でも、載置物Ｐ取り出し後には、再び仕切り挿入孔１Ａから勢いよく突出させることができる。また、棚板１の強度を高めるために、固定保持部１Ｂを、棚板１の裏面に設けている（図５参照）。
【００２５】
更に、複数の仕切りユニット１０を組み合わせて長尺の仕切り帯列Ｓ２を形成する（図４参照）。図示の仕切り帯列Ｓ２は、棚板１の長手方向に沿って仕切りユニット１０を複数個連続するように配置している。このように、仕切りユニット１０を棚板１に連続配置することで、棚板１の長さに応じて仕切り２を装着することができる。また、図示例では、対を成した２組の仕切り帯列Ｓ２が棚板１の長手方向に沿って平行になるように設けている。（図４参照）。このように仕切り帯列Ｓ２を配することで、棚板１の幅に応じて仕切り２を装着することができる。尚、仕切り帯列Ｓ２の設置位置や数は図示例に限られず、棚板１の幅や本発明棚板の使用態様に応じて何本でも自由に設定することができるものとする。
【００２６】
図３に示す棚板１は、棚板１を一対組み合わせて上下面に仕切りが突出する棚板体１００を設けた例を示している。この棚板体１００は、断面略倒コ字状を成す棚板１を一対組み合わせて略筒状に形成したもので、この筒体の内部に仕切りユニット１０や板バネ３を装着している。この棚板体１００を上下に一対設置することで、棚板体１００間の載置物Ｐの下端部と上端部とを、棚板体１００上下面の仕切り２で係止することが可能になる。このように、上下の棚板体１００の仕切り２を利用することで、棚板体１００相互の間隔より載置物Ｐの高さが僅かに低い場合でも、上部の棚板体１００における仕切り２が載置物Ｐを係止できる範囲において支持することができる。また、上下の仕切り２間に係止された載置物Ｐが、載置物Ｐの接触面で仕切り２を押圧している場合は、この仕切り２の反発力で載置物Ｐが圧着されることになる。したがって、棚板体１００相互の間隔より載置物Ｐの高さが僅かに低い場合でも、安定した支持が可能になるものである。
【００２７】
尚、本発明における図示例の各構成は、本発明の一実施例に過ぎず、各構成部材の形状、寸法等の設計変更、形態の変更など、現在知られている技術範囲で自由に変更することができるものである。
【図面の簡単な説明】
【００２８】
【図１】本発明の一実施例を示す分解斜視図である。
【図２】同じく要部側面図である。
【図３】本発明の棚板体の一実施例を示す要部斜視図である。
【図４】本発明の棚板の一実施例を示す平面図である。
【図５】本発明の棚板の一実施例を示す要部側面図である。
【図６】本発明の調整ピッチの一実施例を示す説明図である。
【図７】本発明の仕切りユニットの一実施例を示す要部斜視図である。
【図８】本発明の仕切りユニットの一実施例を背面から示す要部斜視図である。
【図９】本発明板バネの一実施例を示す平面図である。
【図１０】本発明の板バネの一実施例を示す側面図である。
【図１１】本発明の使用状態の一実施例を示す概略図である。
【符号の説明】
【００２９】
ａ  仕切り間のピッチ
ｂ  調整ピッチ
Ｐ  載置物
１  棚板          １Ａ  仕切り挿入孔
１Ｂ  固定保持部
２  仕切り        
３  板バネ        ３Ａ  腕部
３Ｂ  連結板
４  リベット
１０  仕切りユニット
１１  固定基盤
１２  弾性板
１００  棚板体
【図１】
2006204598.tif 000003
【図２】
2006204598.tif 000004
【図３】
2006204598.tif 000005
【図４】
2006204598.tif 000006
【図５】
2006204598.tif 000007
【図６】
2006204598.tif 000008
【図７】
2006204598.tif 000009
【図８】
2006204598.tif 000010
【図９】
2006204598.tif 000011
【図１０】
2006204598.tif 000012
【図１１】
2006204598.tif 000013